(57)【要約】【課題】髭剃り用の共通駆動素子を用いて常にうまくトリマー刃を駆動することができる電気かみそりを提供する。【解決手段】この電気かみそりは、髭剃ヘッド３０とトリマーユニット２００とを備え、それらは共にハンドグリップ１０に移動自在に保持されている。髭剃ヘッド３０は、髭剃り用の刃を駆動する駆動素子４２を備える。トリマーユニット２００は、トリミングのために、上記駆動素子４２と結合される刃を備える。そして、トリマーユニット２００と髭剃ヘッド３０とをロックする機構を備えることで、トリマーユニット２００が動作位置にある時はハンドグリップ１０に対して髭剃ヘッド３０を固定位置に保持するものとした。
2005529694.tif 000002
【特許請求の範囲】
【請求項１】
トリマーを有する電気かみそりであって、以下の構成を備える
ハンドグリップ、
髭剃ヘッド、この髭剃ヘッドはハンドグリップの上端に装着されてハンドグリップに対して移動可能となり、髭剃ヘッドはカッターを有すると共に、モータ及びモータの運動を髭剃りのためにカッターへ伝達する駆動素子を有する、
トリマーユニット、このトリマーユニットはハンドグリップの一面に装着され、休止位置と、動作位置との間でハンドグリップに対して移動自在となり、トリマーユニットはトリマー刃を有し、トリマーユニットが動作位置にある時のみに、トリマー刃が上記駆動素子に係合してこれによって駆動されてトリミングを行う、
トリマーユニットが動作位置の時に、上記トリマーユニットと髭剃ヘッドとを結合してハンドグリップに対して髭剃ヘッドを固定位置に保持するロック手段が設けられた。
【請求項２】
請求項１に記載の電気かみそりにおいて、
上記髭剃ヘッドは幅方向軸を有し、これに沿って駆動素子が往復動し、
上記トリマーユニットは幅方向軸を有し、此に沿ってトリマー刃が往復動し、
上記髭剃ヘッドは、ハンドグリップに対して、髭剃ヘッドの幅方向軸と直交するピボット軸の周りで揺動し、
上記髭剃ヘッドが中立位置に付勢され、この位置において上記ロック手段がトリマーユニットを髭剃ヘッドへ結合し、この位置では髭剃ヘッドの幅方向軸が動作位置にあるトリマーユニットの幅方向軸と平行となる。
【請求項３】
請求項１に記載の電気かみそりにおいて、
上記ロック手段は、トリマーユニット側に設けられたガイドとロックとを備え、
上記ガイドは、ハンドグリップ側に設けた支持部へ常に係合して、トリマーユニットをハンドグリップへ支持し、
上記ロックは、トリマーユニットが動作位置へ移動した時に、髭剃ヘッド側に設けたキャッチに係合する。
【請求項４】
請求項３に記載の電気かみそりにおいて、
上記ロックは上記キャッチに係合してトリマーユニットを髭剃ヘッドに対して所定の間隔に保持する。
【請求項５】
請求項３に記載の電気かみそりにおいて、
上記ロックは一対のロック部材を備え、このロック部材は上記キャッチを規定する一対のキャッチ部材に係合するものであり、このロック部材は髭剃ヘッドの幅の１／２以上の距離で離間した。
【請求項６】
請求項３に記載の電気かみそりにおいて、
上記トリマーユニットがハンドグリップにスライド自在に支持されて休止位置と動作位置との間で、ハンドグリップの上下軸に沿って上下方向で移動自在となり、
上記ロックは一対のロック部材を備え、このロック部材は上記キャッチを規定する一対のキャッチ部材に係合し、
上記ロック部材はそれぞれキャッチ部材に摩擦係合するための接触面を有し、
この接触面はハンドグリップの上下軸に対して傾斜し、髭剃ヘッドがハンドグリップに対して揺動した時にロック部材がキャッチ部材から外れるようになった。
【請求項７】
請求項２に記載の電気かみそりにおいて、
上記駆動素子は、髭剃ヘッドのカバーの内側に隠されて、カバー下端の下開口を通してアクセス可能となり、
上記トリマーユニットはトリマー刃を駆動素子へ結合するためのリンクを保持し、
このリンクは、上下の両端間の中間でトリマーユニットへピボット支持されると共に上端においてトリマー刃と接続されるスウィングアームを有し、
このリンクはスイングアームの下端からこれに重複する形で上方へ一体に延出する結合子を備え、
この結合子は、トリマーユニットが動作位置に移動した時に、上記の下開口を介して上記の駆動素子に係合する。
【請求項８】
請求項２に記載の電気かみそりにおいて、
上記駆動素子は、髭剃ヘッドのカバーの内側に隠されて、カバー下端の下開口を通してアクセス可能となり、
上記トリマーユニットはトリマー刃を駆動素子へ結合するためのリンクを保持し、
このリンクは、上下の両端間の中間でトリマーユニットへピボット支持されると共に上端においてトリマー刃と接続される第１のスウィングアームを有し、
このリンクは、上下の両端間の中間でトリマーユニットへピボット支持される第２のスウィングアームを有し、この第２のスウィングアームはその下端で第１のスウィングアームの下端にピボット結合し、
上記第２のスウィングアームの上端に結合子が設けられ、トリマーユニットが動作位置に移動した時に、この結合子が上記の下開口を介して上記の駆動素子に係合する。
【請求項９】
請求項１に記載の電気かみそりにおいて、
上記トリマーユニットに、エラストマ材料製の防振部材が設けられた。
【発明の詳細な説明】
【技術分野】
【０００１】
この発明は、トリマーを有する電気かみそりに関し、より詳細には、移動自在な髭剃ヘッドと格納式のトリマーを備えた電気かみそりに関する。
【背景技術】
【０００２】
例えば特許文献１に開示されているように、従来の電気かみそりは髭剃ヘッドに加えて、休止位置と動作位置との間で移動自在なトリマーユニットを備えている。髭剃ヘッドとトリマーユニットは共にハンドグリップの上端に装着される。トリマーユニットは、トリマー刃を備え、トリマー刃は髭剃ヘッドのカッターを駆動するために設けられた共通素子によって駆動される。それゆえ、従来の電気かみそりは、トリマーユニットが動作位置に来た時に、トリマー刃が上記共通素子、すなわちトリミングのための駆動素子と接続されるように設計されている。
【特許文献１】特開平４−１３２５８１号公報
【発明の開示】
【発明が解決しようとする課題】
【０００３】
上記駆動素子がハンドグリップ上の固定位置にある場合は、駆動素子の運動を動作位置へと移動したトリマー刃へ伝達することはとても容易である。しかしながら、髭剃ヘッドがハンドグリップに対して移動自在に装着されると共に、その髭剃ヘッドに駆動素子が備えられていて駆動素子も髭剃りヘッドと共にハンドグリップに対して移動自在である場合は、動作位置にあるトリマー刃へ、常にうまく駆動素子の動きを伝えることはかなり複雑となる。
【０００４】
本発明は上記問題点に鑑みて為されたものであって、その目的とするところは、髭剃り用の共通駆動素子を用いて常にうまくトリマー刃を駆動することができる電気かみそりを提供することにある。
【課題を解決するための手段】
【０００５】
本発明に係る電気かみそりは、ハンドグリップと、ハンドグリップの上端に装着されてハンドグリップに対して移動可能な髭剃ヘッドとを備える。髭剃ヘッドは、カッターを有すると共に、モータ及びモータの運動を髭剃りのためにカッターへ伝達する駆動素子を備える。さらに、トリマーユニットがハンドグリップの一面に装着され、休止位置と動作位置との間でハンドグリップに対して移動自在となる。トリマーユニットは、トリマー刃を有し、トリマーユニットが動作位置に移動した時のみ、トリマー刃が上記駆動素子に係合してこれによって駆動されてトリミングを行う。本発明の重要な特徴は、トリマーユニットが動作位置の時に、上記トリマーユニットと髭剃ヘッドとを結合してハンドグリップに対して髭剃ヘッドを固定位置に保持するロック手段或いは機構が設けられたことである。髭剃ヘッドがハンドグリップに対して固定された状態でトリマー刃が駆動されるので、すなわち駆動素子がハンドグリップに対して固定された位置にある状態でトリマー刃が駆動されるので、駆動素子の運動をトリマー刃に常に一様に伝達することができ、トリマーユニットが動作位置にある時に髭剃ヘッドが動けば生じていたであろう動作の変動・ばらつきや、大きな減衰を被ることもない。
【０００６】
上記髭剃ヘッドと上記トリマーユニットは幅方向軸を有し、これに沿って上記駆動素子およびトリマー刃がそれぞれ往復動する。好ましい実施形態においては、上記髭剃ヘッドは、髭剃ヘッドの幅方向軸と直行するピボット軸（回転軸）の周りでハンドグリップに対して揺動（回転）するようにハンドグリップに支持される。また上記髭剃ヘッドは中立位置に付勢され、この中立位置において、髭剃ヘッドの幅方向軸がトリマーユニットの幅方向軸と平行となる。それゆえ、上記駆動素子の最大限の振動振幅をトリマー刃の往復運動へと伝達することができる。
【０００７】
上記ロック手段は、トリマーユニット側に設けられたガイドとロックとを備えるのが好ましい。上記ガイドは、ハンドグリップ側に設けた支持部へ常に係合して、トリマーユニットをハンドグリップへ移動自在に支持する。上記ロックは、上記トリマーユニットが動作位置へ移動した時に、髭剃ヘッド側に設けられたキャッチに係合し、それによって上記髭剃ヘッドを固定位置へロックする。上記ロックは上記キャッチに係合して、トリマーユニットを髭剃ヘッドに対して所定の間隔に保持し、それによって、トリマーユニットを動作位置に安定して保持する。
【０００８】
好ましくは、上記ロックは一対のロック部材を備え、このロック部材は上記キャッチを規定する一対のキャッチ部材に対応して係合する。上記ロック部材は、髭剃ヘッドをうまく固定するために、すなわちトリマーユニットが動作位置にある時に髭剃ヘッドがハンドグリップに対して動かなくなるように髭剃ヘッドを保持するために、髭剃ヘッドの幅の１／２以上の距離で、幅方向軸に沿って離間している。
【０００９】
好ましい実施形態においては、上記トリマーユニットがハンドグリップにスライド自在に支持されて休止位置と動作位置との間で、ハンドグリップの上下軸に沿って上下方向で移動自在となる。上記ロック部材はそれぞれキャッチ部材に摩擦係合するための接触面を有する。この接触面は、ハンドグリップの上下軸に対して、髭剃ヘッドがハンドグリップに対して無理に揺動した時にロック部材がキャッチ部材から外れるような方向に傾斜している。それゆえ、トリマーユニットを使用中に髭剃ヘッドを動かすような外力が加えられたとしても、トリマーユニットは髭剃ヘッドを解放するために動作位置から離れることができる。それにより、駆動素子をトリマー刃へ駆動結合する役割を担っている部品はもちろん、髭剃ヘッドをトリマーユニットへ保持する機構を構成する部品を保護することができる。
【００１０】
好ましくは、上記駆動素子は、髭剃ヘッドのカバーの内側に隠されて、カバー下端の下開口を通してのみアクセス可能となる。トリマーユニットは、トリマー刃を駆動素子に結合するためのリンクを備える。そのリンクは、上下の両端間の中間でトリマーユニットへピボット支持されると共に、上端においてトリマー刃と接続されるスウィングアームを備える。このリンクはさらに、スウィングアームの下端からスウィングアームに重複する形で上方へ一体に延出する結合子を備える。この結合子は、トリマーユニットが動作位置に移動した時に、上記の下開口を介してカバーの内側にある駆動素子に係合する。
【００１１】
あるいは、上記リンクは第１のスウィングアームと第２のスウィングアームとから構成されていてもよい。第１のスウィングアームは、上下の両端間の中間でトリマーユニットへピボット支持されると共に上端においてトリマー刃と接続される。第２のスウィングアームは、上下の両端間の中間でトリマーユニットへピボット支持されると共にその下端で第１のスウィングアームの下端にピボット結合される。第２のスウィングアームの上端に駆動素子と取り外し可能に係合する結合子が設けられる。互いにリンクし合う上記第１のスウィングアームと第２のスウィングアームとの組み合わせにより、トリマー刃は、髭剃ヘッド側に配置された駆動素子から最適な振動振幅を得ることができる。
【００１２】
上記トリマーユニットは、動作ノイズを低減するために、エラストマ材料製の振動吸収部材を備えていてもよい。
【００１３】
本発明の以上及びその他の目的・有利な特徴は、添付した図面を併用しながら以下の好ましい実施形態の説明によって、より明確になるであろう。
【発明を実施するための最良の形態】
【００１４】
図１から図７について説明する。同図には本発明の好ましい実施形態にかかる電気かみそりが示されている。この電気かみそりは、使用者の手に握られるように作られたハンドグリップ１０と、３つの平行な髭剃ユニット７０，８０を有する髭剃ヘッド３０とからなる。上記髭剃ユニットのうち外側にある２つの髭剃ユニット７０は、比較的短い髭を剃るように設計されており、それぞれ外刃７２と、その外刃と接触して髭を刈る間、往復動するように駆動される内刃７８とを備える。もうひとつの中央の髭剃ユニット８０は、比較的長い髭を剃るように設計されており、外刃と、その外刃と係合して髭を刈る間、上記内刃７８と共に往復運動するように駆動される内刃とを備える。２つの外側の髭剃ユニット７０の外刃７２と中央髭剃ユニット８０は、髭剃ヘッド３０へ着脱自在に結合されるカッターホルダー９０へ一体化されている。内刃７８はそれぞれ、髭剃ヘッド３０の上部に突出する往復駆動素子４２に着脱自在に接続されている。上記カッターホルダー９０が髭剃ヘッド３０へ取り付けられた時、中央の髭剃ユニット８０の内刃８８は記駆動素子４２のひとつに駆動結合され、もう一方の内刃７８と共に往復運動する。さらに、ハンドグリップ１０の背面にはトリマーユニット２００が備えられ、そのトリマーユニット２００は、毛をトリミングするために、上記駆動素子４２により共通して駆動される往復トリマー刃を備える。
【００１５】
ハンドグリップ１０は縦に細長くて上下軸を持ち、中に充電式電池１７が収容される防水ハウジング１１を備える。スイッチボタン１９はハンドグリップ１０の正面に配置され、上記内刃を往復運動させるためにモータ４０に電圧を加える駆動回路を稼動させる。髭剃ヘッド３０はその幅方向軸に沿って細長く、高さよりも幅の方が大きい。上記内刃は、髭を剃るために幅方向軸に沿って往復運動する。髭剃ヘッド３０は、その中にモータ４０を収容し、モータ４０は可撓ケーブル４４によってハンドグリップ１０の中に形成された上記駆動回路と電気的に接続される。モータ４０はリニア往復モータであり、髭剃ヘッド３０の上部に突出する駆動素子４２を備えた２つの往復機関を有する。髭剃ヘッド３０は、ハンドグリップ１０から独立して形成されており、支持機構１００によってハンドグリップ１０に移動自在に支持され、髭剃ユニット７０，８０を使用者の肌のさまざまな領域にスムーズ且つ効果的に接触させるために、ハンドグリップ１０に対して髭剃ヘッド３０が回転動作と上下動作との組み合わせをうまく達成できるようになっている。
【００１６】
図３に示すように、上記支持機構１００は、髭剃ヘッド３０の下端から垂下する一対のレバー１０２と、ハンドグリップ１０の上端に固定され垂直棒１１３を有する一対のアンカー１１２とを備える。上記レバー１０２はその上端がそれぞれ、髭剃ヘッド３０の下端において髭剃ヘッドの幅方向軸に沿って間隔をおいた点に突出したピン３２に回転可能に接続されており、それぞれのレバー１０２は、ハンドグリップ１０の厚さ方向の軸と平行に延びる揺動軸Ｓの周りを回転することができる。それぞれのレバー１０２の下端は、レバー１０２とアンカー１１２との間にコイルばね１１４が入れられた状態で、各垂直棒１１３とスライド自在に係合する。
【００１７】
それぞれのレバー１０２はアンカー１１２の垂直棒１１３と協調して、ハンドグリップ１０の上に髭剃ヘッド３０を浮動して支える圧縮可能バーを規定し、髭剃ヘッド３０はコイルばね１１４の付勢に抗して中立位置から下降することができる。髭剃ヘッド３０は、中立位置、すなわち下降しない位置では、図３に示すように、その幅方向軸がハンドグリップ１０の上下軸と直交するように保たれる。さらに、レバー１０２は、少なくとも一つのピン３２の周りにある程度の許容範囲を備えており、その許容範囲を備えた状態でそれぞれの上端で髭剃ヘッド３０に対して回転するので、髭剃ヘッド３０は、いずれか一方のレバー１０２で対応するコイルばね１１４を圧縮しながら、他方のピン３２の周り、すなわち対応するレバー１０２の一方の揺動軸Ｓの周りを回転することができる。それによって、図７に示すように、髭剃ヘッド３０は、ハンドグリップ１０の上下軸に対して髭剃ユニット７０，８０の傾斜に関連するいずれの方向に対しても回転ができるようになる。髭剃ヘッド３０の回転動作はコイルばね１１４の圧縮を伴うので、上記髭剃ユニットには、髭剃ヘッド３０が曲がるにつれて適切な接触圧が与えられることとなる。また、それぞれのレバー１０２は垂直方向に移動可能なので、髭剃ヘッド３０は縦方向に動かされた揺動軸Ｓのいずれの周りでも回転できることとなる。すなわち、髭剃ヘッド３０は、変化する下降位置において回転することができる。支持機構１００はアジャスター１２０を備えており、そのアジャスターは、髭剃ユニットに結果として与えられる接触圧を調整するために、Ｕ字形のいたばね１０６を選択的に作動させて、コイルばね１１４のばね力に追加してばね力を与える。ばね１１４，１０６は、髭剃ヘッド３０を中立位置へと推し進めるための付勢力を与える。
【００１８】
次に、図８，図９について説明する。同図では、トリマーユニット２００について詳細に説明している。トリマーユニット２００は、下寄りの休止位置と上寄りの動作位置との間で縦方向に移動可能となるようにハンドグリップ１０に支持されている。休止位置では、トリマーユニット２００は上記駆動素子４２から切断されており、使用できない状態に保たれる。トリマーユニット２００が、トリマーユニットの上端が髭剃ヘッド３０の上に突出する動作位置に移動すると、トリマーユニットが駆動素子４２と駆動結合して毛のトリミングを行うことが可能となる。
【００１９】
トリマーユニット２００は、上端にトリマー刃を持ったベース２１０と、ベース２１０に固定される蓋２３０とからなり、ベース２１０と蓋２３０との間にスウィングアーム２４０が収容される。トリマー刃は鋸歯状の固定刃２２１と、固定刃２２１に付勢ばね２２８によってスライド自在に保持される鋸歯状の可動刃２２５とからなる。上記刃の長さは、ハンドグリップ１０の上下軸に対して直交するトリマーユニット２００の幅方向軸を規定する。スウィングアーム２４０はその全長の中間部分にベアリングホール２４１を備えて形成され、そのベアリングホール２４１は、ベース２１０から突出した回転ピン２１１を受ける。それにより、スウィングアームは、ハンドグリップ１０の上下軸はもちろんトリマーユニット２００の幅方向軸と直交する軸の周りを回転することができる。スウィングアーム２４０はその上端にフック２４２を備え、そのフック２４２は、固定刃２２１の中央の細長い穴２２２の中を余裕を持って通り、可動刃の中央孔２２６の中へ固定される。それにより、スウィングアーム２４０と髭剃ヘッド３０側の駆動素子４２との間で駆動結合が確立された時に、固定刃２２１に対して可動刃２２５が往復運動できるようになる。ベース２１０の上部にある一対の止め具２１３は、固定刃２２１を固定するために固定刃２２１にある孔にきっちりとはまるように延出されている。また、スウィングアーム２４０は、その下端にスウィングアームに重複する形で延出された結合子２４３が形成されており、結合子の上部には、駆動素子４２の一つに固定された延長部４６と着脱自在に係合するためのノブ２４４が形成されている。
【００２０】
ベース２１０はその上側の領域にスナップ突部２１２を備えており、スナップ突部２１２は、蓋２３０に設けられた孔２３２にそれぞれ嵌め込まれて、蓋２３０をベース２１０に固定する。またベース２１０は、その下側の領域にガイド突部２１４を備えて形成されおり、ガイド突部２１４は、図９，図１０に示すように、ハンドグリップ１０の背面に形成された垂直な支持溝１４の中にスライドして係合するように、蓋２３０から、孔を介して或いは直接、突出している。また、蓋２３０にも、同様のガイド突部２３４が形成されており、それらもまた、支持溝１４にスライドして係合する。それぞれのガイド突部２１４，２３４は、外側に延出されたフラップ２３５を備えた形状であり、フラップ２３５は、支持溝１４の向かい合う縁に形成された支持部１５のうち対応する一つに係合し、ハンドグリップ１０の背面にトリマーユニット２００を保持する一方で、トリマーユニットを休止位置と動作位置との間でスムーズにガイドする。蓋２３０の下方にはアンカーフック２３９が垂下しており、アンカーフック２３９は、トリマーユニットを休止位置か動作位置の何れかに一時的に係止するために、ハンドグリップ側の対応する部位にラッチング係合する。
【００２１】
さらに、蓋２３０は、幅方向の軸上で隣接するガイド突部２３４の外側に間隔を置いて位置する一対のロック部材２３６を備えている。ロック部材２３６は、トリマーユニット２００が動作位置に保持されている時だけ髭剃ヘッド３０を中立位置にロックするように設けられている。休止位置では、ロック部材２３６は、ハンドグリップ１０の背面で支持溝１４の外側に形成された縦長孔１６の中にそれぞれ収容されている。トリマーユニット２００が動作位置まで移動すると、ロック部材２３６は縦長孔１６から出て進み、図１０〜１３および図１５に示すように、髭剃ヘッド３０の背面に突出したキャッチ部材３６にそれぞれ摩擦係合する。それによって、髭剃ヘッド３０は中立位置に固定され、その幅方向軸がトリマーユニット２００の幅方向軸と実質的に平行に保たれ、駆動素子４２と延長部４６とが正確に幅方向軸に沿って往復運動する。それにより、駆動素子の最大ストロークがスウィングアーム２４０を経てトリマー刃に伝達され、トリマー刃、すなわち可動刃２２５が効果的に駆動される。また動作位置では、図１５.Ａに示すように、トリマーユニット２００の上側のガイド突部２３４が、同じキャッチ部材３６の内側端とそれぞれ係合して固定保持され、髭剃ヘッド３０を中立位置に確実にロックする。トリマーユニット２００が休止位置に戻されると、図１５.Ｂに示すように、ロック部材２３６とガイド突部２３４はキャッチ部材３６から解放され、髭剃ヘッド３０は上述したようにハンドグリップ１０に対して動作することが可能になる。髭剃ヘッド３０がハンドグリップ１０に対して傾いた状態で、すなわち髭剃ヘッド３０が肌に押し当てられている時に、使用者がトリマーユニット２００を動作位置に動かそうとすると、図１５.Ｃに示すように、ロック部材２３６のガイド動作により、髭剃ヘッド３０は中立位置へと強制的に戻されることとなる。この目的のために、ロック部材２３６は縦長で、細長い接触面２３７を備えるように形成されており、その接触面は、トリマーユニット２００の上下軸に対して、対向する接触面間の距離がロック部材の上端へ向かうにつれて下端での距離よりも広がるように傾けられている。それゆえ、トリマーユニット２００が動作位置へと移動される時にたとえ髭剃ヘッド３０が傾いていても、図１５.Ｃに示すように、ロック部材２３６の一つが、まずその上端でキャッチ部材３６を取り込むように働き、その後、ロック部材２３６の下端の停止部２３８にキャッチ部材３６が当たるまでキャッチ部材をロック部材２３６の全長に沿ってガイドしながら、ロック部材が髭剃ヘッド３０を中立位置へと回していく。
【００２２】
また、傾斜した接触面２３７を設けたことで、トリマーユニット２００は、髭剃ヘッドを中立位置からずらすような無理な動作から生じた外力が加えられるとすぐに、動作位置から離れる方向へと動くことができ、その結果、髭剃ヘッドを中立位置へロックするための部品はもとより、髭剃ヘッドとトリマーユニットとの間の駆動接続を行う部品を保護することができる。なお、この接続においては、ガイド突部２３４のフラップ２３５がキャッチ部材３６の内側端のフランジ３５と係合しており、それによって、トリマーユニット２００が髭剃ヘッドから所定の間隔に保持され、また、もう一方のガイド突部２１４が個々のフラップ２３５で支持溝１４の支持部１５と係合するのと合わせて、トリマーユニット２００が髭剃ヘッド３０から逃げないようにしている。キャッチ部材３６の外側端と外側端との間の距離Ｗ２、すなわちロック部材２３６間の距離は、図１０に示すように、髭剃ヘッド３０の幅Ｗ１の１／２以上となるように選ばれており、それによって、トリマーユニット２００を、髭剃ヘッド３０の無理な動作に関連して動作位置から安全に開放するのはもちろん、髭剃ヘッド３０をうまく固定している。
【００２３】
駆動素子４２と延長部４６は、カッターホルダー９０の後ろの下端に形成されたカバー９１の内側に隠される。図１２に最もよく示すように、延長部４６は、口が開いたフレア形状のスロット４８を有する垂直部材を備えており、トリマーユニット２００が動作位置に移動した結果そのスロット４８の中にスウィングアーム２４０のノブ２４４が入ることで、駆動素子４２と可動刃２２５との駆動結合が確立される。カバー９１を設けたことで、図１４に示すように、スウィングアーム２４０と駆動素子４２との連結部を、トリマーユニットの上部のカットエリアや髭剃ヘッドから隔離することができ、トリミングされたり剃られたりした毛が比較的入らないようにすることができる。さらに、トリマーユニットのベース２１０は、部分的にエラストマ材料から形成されており、振動ノイズを吸収する。
【００２４】
図１６および図１７は、上述した電気かみそりに同様に用いることができる変容した形態のトリマーユニット２００Ａを示しており、駆動素子４２の揺動動作をトリマー刃、すなわち可動刃２２５Ａへ伝達する機構を除いて、上記実施形態に開示したものと基本的に同一である。上記機構は、第１スウィングアーム２４０Ａと第２スウィングアーム２５０とを備え、それらはトリマーユニットのベース２１０Ａに回転自在に支持されており、互いにリンクされている。なお、同様の部材には、同様の参照数字に"Ａ"の添え字を付けて表している。第１のスウィングアーム２４０Ａは、ベース２１０Ａの第１回転ピン２１１Ａを受けるために、その長さの中間にベアリングホール２４１Ａを有し、また、その上端に可動歯２２５Ａと接続するためのフック２４２を備えている。第１のスウィングアーム２４０Ａは、第２のスウィングアーム２５０の下端でスロット２５３と回転係合するために、下端にはピン２４３Ａが設けられている。第２のスウィングアーム２５０は、第２のスウィングアーム２５０のベアリング孔２５１の中まで延出された第２の回転ピン２１５によって、その長さの中間部分でベース２１０Ａに対して回転自在に支持されている。上述した説明と同様に、髭剃ヘッド３０側の延長部４６と係合するために、第２のスウィングアーム２５０の上端には結合子２５２が形成されている。
【００２５】
本発明は、髭剃ヘッドが下降動作を伴って、或いは下降動作を伴わなくともよいが、２軸のいずれの周りにも揺動することができる実施形態を参照して説明されたが、本発明をハンドグリップに対して特定の動作をするものに限定すべきではなく、髭剃ヘッドの関連動作のいずれのタイプをも包含することができる。さらに、トリマーユニットは、休止位置と動作位置との間を垂直に移動自在なものとして開示されたが、例えばトリマーユニット或いはハンドグリップの幅方向軸と平行に延出する回転軸の周りをトリマーユニットが休止位置と動作位置との間で回転するようなポップアップ機構によってハンドグリップに対して支持されていてもよい。
【図面の簡単な説明】
【００２６】
【図１】本発明の好ましい実施形態に係る電気かみそりの斜視図である。
【図２】同上の電気かみそりの背面図である。
【図３】同上の電気かみそりの一部を取り除いて示した背面図である。
【図４】同上の電気かみそりの組み立て分解斜視図である。
【図５】同上の電気かみそりの組み立て分解斜視図である。
【図６】同上の電気かみそりの髭剃ヘッドの組み立て分解斜視図である。
【図７】同上の電気かみそりの髭剃ヘッドの揺動動作を説明する図である。
【図８】同上の電気かみそりのトリマーユニットの斜視図である。
【図９】同上のトリマーユニットの組み立て分解斜視図である。
【図１０】ハンドグリップに対して傾いた髭剃ヘッドの背面図である。
【図１１】ハンドグリップに対して真っ直ぐに保持された髭剃ヘッドの斜視図である。
【図１２】休止位置での髭剃ヘッドとトリマーユニットとの関係を説明する図である。
【図１３】動作位置での髭剃ヘッドとトリマーユニットとの関係を説明する図である。
【図１４】動作位置にあるトリマーユニットの断面図である。
【図１５．Ａ】髭剃ヘッドをロック／アンロックする機構を説明する図である。
【図１５．Ｂ】髭剃ヘッドをロック／アンロックする機構を説明する図である。
【図１５．Ｃ】髭剃ヘッドをロック／アンロックする機構を説明する図である。
【図１６】同上の電気かみそりに使用できる別のトリマーユニットの斜視図である。
【図１７】同上のトリマーユニットの組み立て分解斜視図である。
【符号の説明】
【００２７】
１０  ハンドグリップ
１１  防水ハウジング
１４  支持溝
１５  支持部
３０  髭剃ヘッド
３２  ピン
３６  キャッチ部材
４０  モータ
４２  駆動素子
４６  延長部
７０、８０  髭剃ユニット
９０  カッターホルダー
９１  カバー
１００  支持機構
２００  トリマーユニット
２１０  ベース
２１４  ガイド突部
２２１  固定刃
２２５  可動刃
２３０  蓋
２３４  ガイド突部
２３６  ロック部材
２３９  アンカーフック
２４０  スウィングアーム
２４３  結合子
【図１】
2005529694.tif 000003
【図２】
2005529694.tif 000004
【図３】
2005529694.tif 000005
【図４】
2005529694.tif 000006
【図５】
2005529694.tif 000007
【図６】
2005529694.tif 000008
【図７】
2005529694.tif 000009
【図８】
2005529694.tif 000010
【図９】
2005529694.tif 000011
【図１０】
2005529694.tif 000012
【図１１】
2005529694.tif 000013
【図１２】
2005529694.tif 000014
【図１３】
2005529694.tif 000015
【図１４】
2005529694.tif 000016
【図１５．Ａ】
2005529694.tif 000017
【図１５．Ｂ】
2005529694.tif 000018
【図１５．Ｃ】
2005529694.tif 000019
【図１６】
2005529694.tif 000020
【図１７】
2005529694.tif 000021
【国際調査報告】
2005529694.tif 000022
2005529694.tif 000023